【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
式Ｉのトリブロックコポリマー：
【化１】
2011524931.tif 000001
［式中、
【化２】
2011524931.tif 000002
のそれぞれが、ウレタン結合または尿素結合に対する結合点を表し；
ＸとＹのそれぞれが、独立して、ポリエーテル、ポリエステル、ポリカーボネートおよびフッ素ポリマーの１種または複数種から形成されるポリマー鎖またはコポリマー鎖であり；
Ｒ１、Ｒ２、Ｒ３、Ｒ４、Ｒ５およびＲ６のそれぞれが、独立して、Ｒ、ＯＲ、−ＣＯ２Ｒ、フッ素化炭化水素、ポリエーテル、ポリエステルまたはフッ素ポリマーの１種または複数種から選択され；
Ｒのそれぞれが、独立して、水素、場合によって置換されたＣ１−２０脂肪族基、または、場合によって置換された以下から選択される基であり：フェニル、８〜１０員の２環式アリール、窒素、酸素あるいは硫黄から独立して選択される１〜２のヘテロ原子を有する４〜８員の単環式の飽和または部分不飽和の複素環式環、または、窒素、酸素あるいは硫黄から独立して選択される１〜４のヘテロ原子を有する、５〜６員の単環式あるいは８〜１０員の２環式ヘテロアリール基；
ｍ、ｎおよびｐのそれぞれが、独立して、２〜１００であり；
Ｌ１およびＬ２のそれぞれが、独立して、２価のＣ１−２０炭化水素鎖であり、この炭化水素鎖の１〜４のメチレン単位は、−Ｏ−、−Ｓ−、−Ｎ（Ｒ）−、−C（Ｏ）−、−Ｃ（Ｏ）Ｎ（Ｒ）−、−Ｎ（Ｒ）Ｃ（Ｏ）−、−ＳＯ２−、−ＳＯ２Ｎ（Ｒ）−、−Ｎ（Ｒ）ＳＯ２−、−ＯＣ（Ｏ）−、−Ｃ（Ｏ）Ｏ−または２価のシクロアルキレン、アリーレン、ヘテロサイクレンまたはヘテロアリーレンによって独立して置換されていてもよいが、Ｌ１とＬ２のどちらも尿素またはウレタン部分を含まない］。
【請求項２】
ＸとＹがいずれも同じである、請求項２に記載のコポリマー。
【請求項３】
ＸとＹがいずれもポリエーテルである、請求項２に記載のコポリマー。
【請求項４】
ＸとＹがいずれもポリプロピレンオキサイドである、請求項３に記載のコポリマー。
【請求項５】
ｍおよびｐがそれぞれ独立して２〜５０であり、ｎが２〜２０である、請求項１〜４のいずれかに記載のコポリマー。
【請求項６】
ｍおよびｐがそれぞれ独立して２〜３０であり、ｎが２〜２０である、請求項５に記載のコポリマー。
【請求項７】
ｍ、ｎおよびｐのそれぞれが８〜１６である、請求項５に記載のコポリマー。
【請求項８】
Ｒ１、Ｒ２、Ｒ３、Ｒ４、Ｒ５およびＲ６の１種または複数種が、独立して、場合によって置換されたＣ１−６アルキルである、請求項１〜７のいずれかに記載のコポリマー。
【請求項９】
Ｒ１、Ｒ２、Ｒ３、Ｒ４、Ｒ５およびＲ６のそれぞれが、独立して、メチル、エチル、プロピル、イソプロピル、シクロプロピル、ブチル、イソブチルまたはシクロブチルである、請求項８に記載のコポリマー。
【請求項１０】
Ｒ１、Ｒ２、Ｒ３、Ｒ４、Ｒ５およびＲ６のそれぞれが、独立して、モノ、ジ、トリまたはすべてフッ化されたメチル、エチル、プロピル、ブチルまたはフェニルである、請求項９に記載のコポリマー。
【請求項１１】
Ｒ１、Ｒ２、Ｒ３、Ｒ４、Ｒ５およびＲ６のそれぞれが、独立して、メチル、エチル、プロピル、トリフルオロメチル、トリフルオロエチルまたはトリフルオロプロピルである、請求項８に記載のコポリマー。
【請求項１２】
Ｌ１およびＬ２のそれぞれが、独立して、２価のＣ１−２０アルキレン鎖である、請求項１〜１１のいずれかに記載のコポリマー。
【請求項１３】
Ｌ１およびＬ２のそれぞれが、独立して、２価のＣ１−１０アルキレン鎖である、請求項１２に記載のコポリマー。
【請求項１４】
Ｌ１およびＬ２のそれぞれが、独立して、２価のメチレン鎖、エチレン鎖、プロピレン鎖またはブチレン鎖である、請求項１３に記載のコポリマー。
【請求項１５】
Ｌ１およびＬ２のそれぞれが、独立して、−ＯＣＨ２−、−ＯＣＨ２ＣＨ２−、−ＯＣＨ２ＣＨ２ＣＨ２−または−ＯＣＨ２ＣＨ２ＣＨ２ＣＨ２−である、請求項１〜１１のいずれかに記載のコポリマー。
【請求項１６】
Ｌ１およびＬ２のそれぞれが、独立して、２価のＣ１−６アルキレン鎖であって、この鎖の少なくとも１つのメチレン単位が−Ｏ−で置換され、この鎖の少なくとも１つのメチレン単位が２価のアリーレンで置換されている、請求項１〜１１のいずれかに記載のコポリマー。
【請求項１７】
Ｌ１およびＬ２のそれぞれが、独立して、−ＯＣＨ２−フェニレン−、−ＯＣＨ２ＣＨ２−−フェニレン−、−ＯＣＨ２ＣＨ２−フェニレン−ＣＨ２−または−ＯＣＨ２ＣＨ２ＣＨ２ＣＨ２−−フェニレン−である、請求項１６に記載のコポリマー。
【請求項１８】
式ＩＩのトリブロックコポリマー：
【化３】
2011524931.tif 000003
［式中、
ＲｘおよびＲｙのそれぞれが、独立して、−ＯＨ、−ＮＨ２、保護されたヒドロキシル基または保護されたアミンであり；
ＸとＹのそれぞれが、独立して、ポリエーテル、ポリエステル、ポリカーボネートおよびフッ素ポリマーの１種または複数種から形成されるポリマー鎖またはコポリマー鎖であり；
Ｒ１、Ｒ２、Ｒ３、Ｒ４、Ｒ５およびＲ６のそれぞれが、独立して、Ｒ、ＯＲ、−ＣＯ２Ｒ、フッ素化炭化水素、ポリエーテル、ポリエステルまたはフッ素ポリマーの１種または複数種から選択され；
Ｒのそれぞれが、独立して、水素、場合によって置換されたＣ１−２０脂肪族基、または、場合によって置換された以下から選択される基であり：フェニル、８〜１０員の２環式アリール、窒素、酸素あるいは硫黄から独立して選択される１〜２のヘテロ原子を有する４〜８員の単環式の飽和または部分不飽和の複素環式環、または、窒素、酸素あるいは硫黄から独立して選択される１〜４のヘテロ原子を有する、５〜６員の単環式あるいは８〜１０員の２環式ヘテロアリール基；
ｍ、ｎおよびｐのそれぞれが、独立して、２〜１００であり；
Ｌ１およびＬ２のそれぞれが、独立して、２価のＣ１−２０炭化水素鎖であり、この炭化水素鎖の１〜４のメチレン単位は、−Ｏ−、−Ｓ−、−Ｎ（Ｒ）−、−Ｃ（Ｏ）−、−Ｃ（Ｏ）Ｎ（Ｒ）−、−Ｎ（Ｒ）Ｃ（Ｏ）−、−ＳＯ２−、−ＳＯ２Ｎ（Ｒ）−、−Ｎ（Ｒ）ＳＯ２−、−ＯＣ（Ｏ）−、-Ｃ（Ｏ）Ｏ−または２価のシクロアルキレン、アリーレン、ヘテロサイクレンまたはヘテロアリーレンによって独立して置換されていてもよいが、Ｌ１とＬ２のどちらも尿素またはウレタン部分を含まない］。
【請求項１９】
ＲｘおよびＲｙがいずれも−ＯＨである、請求項１８に記載のコポリマー。
【請求項２０】
式ＩＩ−ａ、式ＩＩ−ｂ、式ＩＩ−ｃおよび式ＩＩ−ｄ：
【化４】
2011524931.tif 000004
のいずれかから選択される、請求項１８に記載のコポリマー。
【請求項２１】
以下：
【化５】
2011524931.tif 000005
から選択される、請求項１に記載のコポリマー。
【請求項２２】
以下：
【化６】
2011524931.tif 000006
から選択される、請求項２０に記載のコポリマー。
【請求項２３】
請求項１〜１７のいずれかまたは請求項２１に記載のトリブロックコポリマーを含んでなる生体安定性粘弾性フォーム。
【請求項２４】
請求項２１に記載のトリブロックコポリマーを含んでなる、請求項２３に記載の生体安定性粘弾性フォーム。
【請求項２５】
３ヶ月間以上、４ヶ月間以上、５ヶ月間以上、６ヶ月間以上、７ヶ月間以上、８ヶ月間以上、９ヶ月間以上、１０ヶ月間以上、１１ヶ月間または１年以上、胃液に対して安定である、請求項２３に記載の生体安定性粘弾性フォーム。
【請求項２６】
平衡状態で、約５重量％未満、約１０重量％未満、約１５重量％未満、約２０重量％未満、約２５重量％未満または約３０重量％未満の水を吸収する、請求項２３に記載の生体安定性粘弾性フォーム。
【請求項２７】
約２００〜１２００％の伸長力を有する、請求項２３に記載の生体安定性粘弾性フォーム。
【請求項２８】
約０．１〜約１．０ＭＰａの引張強度を有する、請求項２３に記載の生体安定性粘弾性フォーム。
【請求項２９】
０．１〜１．５ｇ／ｃｍ３の密度を有する、請求項２３に記載の生体安定性粘弾性フォーム。
【請求項３０】
０．３〜１．２ｇ／ｃｍ３の密度を有する、請求項２３に記載の生体安定性粘弾性フォーム。
【請求項３１】
０．８〜０．９ｇ／ｃｍ３の密度を有する、請求項２３に記載の生体安定性粘弾性フォーム。
【請求項３２】
０．５〜０．６ｇ／ｃｍ３の密度を有する、請求項２３に記載の生体安定性粘弾性フォーム。